(57)【要約】【課題】パティキュレートの酸化燃焼とＮＯｘの還元浄化を両立させながら、排気ガス浄化装置のシンプル化を図る。【解決手段】エンジンの排気ガス通路１に、パティキュレートを捕集するフィルタ５を設け、該フィルタ５に、ＮＯｘを還元剤の存在下で選択的に還元するためのＳＣＲ触媒とパティキュレートを燃焼させるためのＣｅ以外の希土類金属を含有するＺｒ系複合酸化物を担持する。【選択図】図１
2016077975.tif 000002
【特許請求の範囲】
【請求項１】
エンジンから排出される排気ガス中のＮＯｘとパティキュレートの処理が可能な排気ガス浄化装置であって、
上記エンジンの排気ガス通路に、上記パティキュレートを捕集するフィルタが設けられ、該フィルタには、上記ＮＯｘを還元剤の存在下で選択的に還元するＳＣＲ触媒と、Ｃｅ以外の希土類金属とＺｒとを含む複合酸化物とが担持されている
ことを特徴とする排気ガス浄化装置。
【請求項２】
請求項１において、
上記フィルタにはＰｔ及びＰｄのいずれも担持されていないことを特徴とする排気ガス浄化装置。
【請求項３】
請求項１又は請求項２において、
上記排気ガス通路における上記フィルタよりも排気ガス流れ方向の上流側に、酸化触媒が配置されていることを特徴とする排気ガス浄化装置。
【請求項４】
請求項１乃至請求項３のいずれか一において、
上記複合酸化物は、Ｎｄを含むことを特徴とする排気ガス浄化装置。
【請求項５】
請求項４において、
上記複合酸化物は、さらにＰｒを含むことを特徴とする排気ガス浄化装置。
【請求項６】
請求項３において、
上記フィルタと上記酸化触媒との間に、上記ＳＣＲ触媒に上記還元剤としてＮＨ３を供給するべくＮＨ３又はＮＨ３前駆体を上記排気ガス通路に注入する注入手段が設けられていることを特徴とする排気ガス浄化装置。
【請求項７】
請求項１乃至請求項６のいずれか一において、
上記フィルタにおける排気ガス流れ方向の下流側に、ＮＨ３及び／又はその誘導体を酸化するためのＮＨ３酸化触媒が配置されていることを特徴とする排気ガス浄化装置。
【請求項８】
請求項１乃至請求項６のいずれか一において、
上記フィルタにおける排気ガス流れ方向の下流部に、ＮＨ３及び／又はその誘導体を酸化するためのＮＨ３酸化触媒が担持されていることを特徴とする排気ガス浄化装置。
【請求項９】
エンジンから排出される排気ガス中のＮＯｘとパティキュレートを処理する排気ガス浄化方法であって、
上記エンジンの排気ガス通路には、酸化触媒と、上記ＮＯｘを還元する還元剤又は還元剤前駆体を上記排気ガス通路に注入する注入手段と、上記パティキュレートを捕集するフィルタとが、排気ガス流れ方向の上流側から順に設けられており、
上記フィルタには、上記注入手段により注入された還元剤の存在下で上記ＮＯｘを選択的に還元するＳＣＲ触媒と、Ｃｅ以外の希土類金属とＺｒとを含む複合酸化物とが担持され、且つ、Ｐｔ及びＰｄのいずれも担持されておらず、
上記フィルタの再生時においては、
上記エンジンの燃焼室に膨張行程又は排気行程で燃料を噴射供給するポスト噴射を実行して排気ガス中のＨＣ及びＣＯの量を増大させ、該ＨＣ及びＣＯを上記酸化触媒で酸化させ、その反応熱によって排気ガス温度を昇温させるステップと、
上記昇温させた排気ガスを上記フィルタに流入させるとともに、上記フィルタに担持させた上記複合酸化物から活性な酸素を放出させて上記フィルタに堆積しているパティキュレートを燃焼浄化させるステップと
を含み、
上記フィルタの再生時以外の運転中においては、
上記注入手段によって上記フィルタの上流側から排気ガス通路中に上記還元剤又は還元剤前駆体を注入するステップと、
上記還元剤又は還元剤前駆体を含む排気ガスを上記フィルタに流入させるとともに、上記フィルタに担持させた上記ＳＣＲ触媒によって排気ガス中のＮＯｘを選択還元させるステップと
を含むことを特徴とする排気ガス浄化方法。
【発明の詳細な説明】
【技術分野】
【０００１】
本発明は、エンジンの排気ガス浄化装置及び浄化方法に関する。
【背景技術】
【０００２】
ディーゼルエンジンやリーンバーンガソリンエンジンから排出される排気ガスにはＮＯｘ（窒素酸化物）とパティキュレートが含まれている。このＮＯｘ及び／又はパティキュレートを処理するために、従来より種々の提案がなされている。
【０００３】
特許文献１にＮＯｘを還元浄化する装置の一例が記載されている。その浄化装置は、触媒から製造された多孔質フィルタを備え、該フィルタに排気ガス流通路が形成されている。還元剤としてＮＨ３又は炭化水素が当該フィルタに供給されてＮＯｘが選択還元浄化される。触媒としては、一般式ＡａＢｂＯ４をもつスピネルが採用され、このスピネルがＰｄ、Ｐｔ、Ｒｈ等の触媒活性元素を有することが好ましいとされている。
【０００４】
特許文献２には、パティキュレートを捕集するフィルタにパティキュレート酸化触媒を担持することが記載されている。その酸化触媒としては、Ｃｅ及びＹを除く希土類金属を含有するＺｒ系複合酸化物や、Ｃｅを除く希土類金属又はアルカリ土類金属を含有するＣｅ系複合酸化物が採用される。Ｚｒ系複合酸化物及びＣｅ系複合酸化物のいずれにもＰｔが担持される。特許文献３には、Ｐｔ担持アルミナとＣｅＺｒ系複合酸化物とＺｒＮｄ系複合酸化物とを含有する触媒付パティキュレートフィルタについて記載されている。特許文献２，３に記載された触媒では、複合酸化物から放出される活性な酸素によって、パティキュレートの燃焼が促進される。
【先行技術文献】
【特許文献】
【０００５】
【特許文献１】特開平０９−１７３７８４号公報
【特許文献２】特開２００７−５４７１３号公報
【特許文献３】特開２００９−３９６３２号公報
【発明の概要】
【発明が解決しようとする課題】
【０００６】
特許文献１のようにＮＯｘの浄化にＮＨ３を還元剤とするＳＣＲ触媒を採用するときは、過剰のＮＨ３が大気中に排出されることを防止するために、ＳＣＲ触媒よりも排気ガス流れ方向の下流側にＮＨ３酸化触媒が設けられている。そうすると、排気ガス中のＮＯｘ及びパティキュレートを処理するためには、触媒付フィルタ、ＳＣＲ触媒及びＮＨ３酸化触媒を排気ガス流れ方向に順に並べる必要がある。そのため、排気ガス浄化装置全体が大掛かりになり、そのレイアウトも難しくなる。
【０００７】
また、フィルタを効率良く再生（捕集されたパティキュレートの燃焼除去）するためには、そのフィルタよりも上流側に酸化触媒を設け、この酸化触媒での反応熱を利用してフィルタの温度を上昇させることが望ましい。その場合、排気ガス浄化装置全体がさらに大掛かりになる。
【０００８】
そこで、本発明者は、浄化装置の大型化問題に対策するべく、また、ＳＣＲ触媒をできるだけエンジン排気ガス温度が高い位置で機能させることを目的として、パティキュレートフィルタとＳＣＲ触媒の一体化を図ること、つまり、フィルタにＳＣＲ触媒を担持させることを検討した。しかし、ＳＣＲ触媒は還元触媒であるところ、フィルタにはパティキュレートを燃焼させるための酸化触媒も担持させる必要がある。その場合、酸化触媒と還元触媒はその機能が相反することから、パティキュレートの酸化燃焼とＮＯｘの還元浄化の両立性が問題になる。すなわち、ＳＣＲ触媒に供給されるべきＮＯｘ浄化用の還元剤がパティキュレート燃焼用の酸化触媒で酸化されると、ＳＣＲ触媒によるＮＯｘの選択還元に支障を来す。
【０００９】
本発明は、パティキュレートの酸化燃焼とＮＯｘの還元浄化を両立させながら、排気ガス浄化装置のシンプル化を図ることを課題とする。
【課題を解決するための手段】
【００１０】
本発明者は、パティキュレートの燃焼についての実験・検討を加えた結果、特許文献２及び３に記載されているＺｒ系複合酸化物は、ＰｔやＰｄのような酸化触媒金属を使用しなくても、パティキュレートを燃焼可能であることを見出し、本発明を完成した。
【００１１】
すなわち、ここに開示する排気ガス浄化装置は、エンジンから排出される排気ガス中のＮＯｘとパティキュレートの処理に適した装置であって、上記エンジンの排気ガス通路に、上記パティキュレートを捕集するフィルタが設けられ、該フィルタには、上記ＮＯｘを還元剤の存在下で選択的に還元するＳＣＲ触媒と、Ｃｅ以外の希土類金属とＺｒとを含む複合酸化物とが担持されていることを特徴とする。
【００１２】
ＰＭ燃焼触媒として上記Ｚｒ系複合酸化物を採用すると、このＺｒ系複合酸化物から活性な酸素を放出させて上記パティキュレートの燃焼を促進することができる。フィルタ再生時には、この活性な酸素が酸化剤となってフィルタに捕集されているパティキュレートが燃焼する。この場合、活性な酸素の働きによって、ＰｔやＰｄのような触媒貴金属が存在しなくても、パティキュレートの燃焼が進む。一方、通常運転時には、フィルタに還元剤が供給されると、その還元剤の存在下で排気ガス中のＮＯｘがＳＣＲ触媒によって還元浄化される。フィルタに担持されている上記複合酸化物は、上述の如くパティキュレートの燃焼に働くものの、それ自体には還元剤を酸化させるような強い酸化触媒機能はない。従って、フィルタに供給される還元剤は、上記複合酸化物によって酸化されることなく、ＳＣＲ触媒によるＮＯｘの選択還元に供されることになる。
【００１３】
このように、本発明によれば、パティキュレートの燃焼に上記複合酸化物を用いるから、パティキュレートの燃焼とＳＣＲ触媒によるＮＯｘの選択還元が両立することになる。
【００１４】
そうして、パティキュレート捕集用のフィルタにＳＣＲ触媒を担持させた、すなわち、フィルタとＳＣＲ触媒を一体化させたから、ＳＣＲ触媒専用の担体を別途設ける必要がなくなり、排気ガス浄化装置がシンプルになり、排気ガス通路へのレイアウトが容易になる。
【００１５】
ここに、フィルタに供給される還元剤がＳＣＲ触媒によるＮＯｘの選択還元に使われる前に酸化されることがないように、フィルタにはＰｔ及びＰｄのいずれも担持しないことが好ましい。
【００１６】
また、上記複合酸化物は、Ｎｄを含むことが好ましい。さらに好ましくは、Ｎｄに加え、Ｐｒを含むことが好ましい。これにより、より低温でパティキュレートを燃焼させることができ、フィルタの劣化を抑えることができる。
【００１７】
なお、Ｚｒ系複合酸化物の担持量は、少なすぎるとパティキュレート燃焼機能を果たさず、また、多すぎるとＰＭ燃焼性能は向上するが、フィルタへ担持できるＳＣＲ触媒を含めたウォッシュコート量には制約があり、ＳＣＲ触媒の担持量が少なくなることで、ＮＯｘ浄化性能が十分に得られなくなる。そのため、上記複合酸化物は、フィルタ担体１Ｌあたり１０ｇ以上６０ｇ以下含まれていることが好ましい。
【００１８】
本発明の好ましい態様では、上記排気ガス通路における上記フィルタよりも排気ガス流れ方向の上流側に、酸化触媒が配置されている。
【００１９】
フィルタの再生時に、上記エンジン側でポスト噴射を行うことにより排気ガス中にＨＣ及びＣＯを混合させ、該ＨＣ及びＣＯを上記酸化触媒で酸化させて、このときに発生する酸化反応熱によって排気ガス温度を昇温させることにより、フィルタに流入する排気ガス温度が上昇し、ＰＭ燃焼速度が大幅に向上する。
【００２０】
本発明の好ましい態様では、上記フィルタと上記酸化触媒との間に、上記ＳＣＲ触媒に上記還元剤としてＮＨ３を供給するべくＮＨ３又はＮＨ３前駆体を上記排気ガス通路に注入する注入手段が設けられている。これにより、ＳＣＲ触媒による効率的なＮＯｘの選択還元が可能となる。
【００２１】
そして、上記排気ガス通路における上記フィルタよりも排気ガス流れ方向の下流側に、ＮＨ３及び／又はその誘導体を酸化するためのＮＨ３酸化触媒が配置されている。
【００２２】
ＳＣＲ触媒によるＮＯｘの選択還元において、還元剤としてＮＨ３を用いたとき、ＮＯｘの選択還元に利用されなかったＮＨ３が大気中に排出されると異臭を放つ。そこで、フィルタよりも排気ガス流れ方向の下流側にＮＨ３酸化触媒を配置し、ＮＨ３及び／又はその誘導体を酸化するものである。
【００２３】
本発明のより好ましい態様では、上記フィルタにおける排気ガス流れ方向の下流部に、ＮＨ３及び／又はその誘導体を酸化するためのＮＨ３酸化触媒が担持されている。
【００２４】
すなわち、ＮＨ３酸化触媒をフィルタにおける排気ガス流れ方向の下流部に担持することにより、ＮＨ３酸化触媒専用の担体を別途設ける必要がなくなる。これは、いわば、フィルタとＳＣＲ触媒とＮＨ３酸化触媒を一体化するという構成である。これにより、排気ガス浄化装置がシンプルになり、排気ガス通路へのレイアウトが容易になる。
【００２５】
また、ここに開示する排気ガス浄化方法は、エンジンから排出される排気ガス中のＮＯｘとパティキュレートを処理する方法であって、上記エンジンの排気ガス通路には、酸化触媒と、上記ＮＯｘを還元する還元剤又は還元剤前駆体を上記排気ガス通路に注入する注入手段と、上記パティキュレートを捕集するフィルタとが、排気ガス流れ方向の上流側から順に設けられており、上記フィルタには、上記注入手段により注入された還元剤の存在下で上記ＮＯｘを選択的に還元するＳＣＲ触媒と、Ｃｅ以外の希土類金属とＺｒとを含む複合酸化物とが担持され、且つ、Ｐｔ及びＰｄのいずれも担持されておらず、上記フィルタの再生時においては、上記エンジンの燃焼室に膨張行程又は排気行程で燃料を噴射供給するポスト噴射を実行して排気ガス中のＨＣ及びＣＯの量を増大させ、該ＨＣ及びＣＯを上記酸化触媒で酸化させ、その反応熱によって排気ガス温度を昇温させるステップと、上記昇温させた排気ガスを上記フィルタに流入させるとともに、上記フィルタに担持させた上記複合酸化物から活性な酸素を放出させて上記フィルタに堆積しているパティキュレートを燃焼浄化させるステップとを含み、上記フィルタの再生時以外の運転中においては、上記注入手段によって上記フィルタの上流側から排気ガス通路中に上記還元剤又は還元剤前駆体を注入するステップと、上記還元剤又は還元剤前駆体を含む排気ガスを上記フィルタに流入させるとともに、上記フィルタに担持させた上記ＳＣＲ触媒によって排気ガス中のＮＯｘを選択還元させるステップとを含むことを特徴とする。
【００２６】
この方法によれば、パティキュレートの酸化燃焼とＮＯｘの還元浄化を両立させながら、排気ガス浄化装置のシンプル化を図ることができ、さらに、パティキュレートの燃焼促進にも有利になる。
【発明の効果】
【００２７】
本発明によれば、パティキュレートを捕集するフィルタに、ＮＯｘを還元剤の存在下で選択的に還元するためのＳＣＲ触媒と、パティキュレートを燃焼させるためのＣｅ以外の希土類金属とＺｒとを含む複合酸化物とを担持したから、パティキュレートの酸化燃焼とＮＯｘの還元浄化を両立させながら、排気ガス浄化装置のシンプル化を図ることができ、エンジンの排気ガス通路への排気ガス浄化装置のレイアウトも容易になる。
【図面の簡単な説明】
【００２８】
【図１】エンジンの排気ガス浄化装置の構成図。
【図２】Ｚｒ系複合酸化物とカーボンを混合した試料のＤＴＡピークトップ温度を示すグラフ図。
【図３】Ｚｒ系複合酸化物のエージング処理前後のカーボン燃焼性能を示すグラフ図。
【図４】フィルタ本体に対するＳＣＲ触媒とＺｒ系複合酸化物の担持形態を模式的に示す断面図。
【図５】フィルタ本体に対するＳＣＲ触媒とＺｒ系複合酸化物とＮＨ３酸化触媒の担持形態の一例を模式的に示す断面図。
【発明を実施するための形態】
【００２９】
以下、本発明を実施するための形態を図面に基づいて説明する。以下の好ましい実施形態の説明は、本質的に例示に過ぎず、本発明、その適用物或いはその用途を制限することを意図するものではない。
【００３０】
＜排気ガス浄化装置の構成＞
図１に示す排気ガス浄化装置はリーンバーンエンジンから排出される５％以上の酸素を含む排気ガス中のＮＯｘとパティキュレート（以下、「ＰＭ」という。）の処理が可能な装置である。本例のエンジンはディーゼルエンジンであり、その排気ガス通路１に、酸化触媒（ＤＯＣ）２、還元剤又は還元剤前駆体の注入手段３、ミキサ４、ＳＣＲ／フィルタ５及びＮＨ３酸化触媒６が排気ガス流れ方向の上流側から順に配置されている。本明細書では、「上流側」及び「下流側」は排気ガス流れ方向について使用している。この排気ガス浄化装置は、還元剤又は還元剤前駆体を貯留するタンク及び各種センサを備える。それらセンサの信号に基づいてエンジンの燃料噴射制御及び注入手段３の制御がＥＣＵ（Ｅｎｇｉｎｅ  Ｃｏｎｔｒｏｌ  Ｕｎｉｔ）によって実行される。
【００３１】
［酸化触媒について］
酸化触媒２は、排気ガス中のＨＣをトラップするＨＣトラップ材と、該ＨＣトラップ材にトラップされたＨＣ、排気ガス中のＨＣ、ＣＯ、ＮＯを酸化する触媒成分を含有する。例えば、ＨＣトラップ材としてはゼオライトを採用し、酸化触媒成分としては活性アルミナとＯＳＣ材（Ｃｅ含有酸化物）の混合物にＰｔ及び／又はＰｄを担持させた触媒を採用することが好ましい。
【００３２】
酸化触媒２は、ＨＣトラップ材を含有するから、排気ガス温度が低いとき（触媒が活性化していないとき）に排気ガス中のＨＣをトラップしておき、排気ガス温度が高くなったとき（触媒が活性を呈するようになったとき）にＨＣトラップ材から放出されるＨＣを酸化浄化することができ、ＨＣが酸化されることなく排出される量を減らすことができる。
【００３３】
［ＳＣＲ／フィルタについて］
ＳＣＲ／フィルタ５は、排気ガス中のＰＭを捕集するフィルタ本体に、ＮＯｘを還元剤の存在下で選択的に還元浄化するためのＳＣＲ触媒と、捕集したＰＭを燃焼させて除去するためのＰＭ燃焼触媒を担持させたものである。フィルタ本体は、下流端が閉塞された排気ガス流入通路と、上流端が閉塞された排気ガス流出通路が交互に並行に設けられたハニカム構造をなし、排気ガス流入通路に流入した排気ガスが通路隔壁の細孔を通って隣接する排気ガス流出通路に流出するウォールフロータイプである。フィルタ本体は、コージェライト、ＳｉＣ、Ｓｉ３Ｎ４、サイアロン、ＡｌＴｉＯ３のような無機多孔質材料から形成される。
【００３４】
ＳＣＲ触媒については、本例では、還元剤となるＮＨ３の前駆体として尿素を採用した尿素−ＳＣＲを採用している。そのため、タンクには尿素水が貯留される。ＳＣＲ触媒としては、ＮＨ３をトラップするゼオライトに、ＮＨ３を還元剤としてＮＯｘを還元する触媒金属を担持させた触媒成分を採用することが好ましい。ＮＯｘ還元用の触媒金属としては、Ｆｅ、Ｔｉ、Ｖ、Ｗ等が好ましく、ＮＨ３をＮＯｘに酸化し易いＰｔやＰｄの使用は好ましくない。なお、ＳＣＲ触媒は、フィルタ担体１Ｌあたり６０ｇ以上１１０ｇ以下含まれていることが好ましい。
【００３５】
ＰＭ燃焼触媒としては、Ｚｒ系複合酸化物を採用することが好ましく、ＰｔやＰｄのような酸化触媒機能が強い触媒貴金属は含有しない。Ｚｒ系複合酸化物は、Ｚｒを主成分として、Ｃｅ以外の希土類金属、例えばＮｄ、Ｐｒ、Ｌａ、Ｙｂを含有する複合酸化物である。好ましくは、Ｚｒを主成分として、Ｎｄを含有する複合酸化物であり、特に好ましくは、Ｎｄに加えＰｒを含有する複合酸化物である。以下、詳述する。
【００３６】
（Ｚｒ系複合酸化物のカーボン燃焼性能）
Ｚｒ酸化物であるＺｒＯ２にＣｅ以外の希土類金属を含有するＺｒ系複合酸化物について、示差熱分析（ＤＴＡ熱分析）によりカーボン燃焼性能を評価した。
【００３７】
評価方法は以下の通りである。すなわち、まずＺｒ系複合酸化物粉末について、大気中で８００℃で２４時間保持するエージング処理を施した。次に、エージング後のＺｒ系複合酸化物粉末とカーボンブラックを、めのう乳鉢の自重だけで１分間混合（タイトコンタクト、Ｚｒ系複合酸化物粉末：カーボンブラック＝４：１（質量比））する。そして、５ｍｇ秤量した混合粉末を、アルミナパンを用いてＤＴＡ熱分析装置に設置し、２０％Ｏ２／Ｎ２＋５００ｐｐｍＮＯ２気流中（全流量１００ｃｃ／ｍｉｎ）１０℃／ｍｉｎにて昇温試験を行った。ＤＴＡ熱分析におけるリファレンスは市販のα−アルミナ粉末を使用した。カーボン燃焼に伴う発熱ピーク時の温度（ＤＴＡピークトップ温度）から、Ｚｒ系複合酸化物のＰＭの燃焼に及ぼす影響を評価した。
【００３８】
表１及び図２に、種々のＺｒ系複合酸化物についての組成とＤＴＡピークトップ温度との関係を示す。
【００３９】
【表１】
2016077975.tif 000003
【００４０】
供試材１は、添加元素を含有しないＺｒ酸化物、すなわちＺｒＯ２である。ＺｒＯ２では、ＤＴＡピークトップ温度は４８６．５℃であり、図２に示すように、添加元素を含有するＺｒ系複合酸化物よりもＤＴＡピークトップ温度が高いことが判る。
【００４１】
ここで、ＤＴＡピークトップ温度が高い程、ＰＭの燃焼に高い排気ガス温度が必要になるため、ＰＭ燃焼に伴う熱負荷が増大すると共に、フィルタの劣化を早めてしまう。従って、ピークトップ温度が低い程、ＰＭ燃焼もより低温で開始することができ、フィルタの劣化を抑える上でも好ましい。
【００４２】
供試材１のＺｒＯ２に対し、Ｃｅ以外の希土類金属を含有するＺｒ系複合酸化物（供試材２〜２６）は、図２に示すようにＤＴＡピークトップ温度が低くなり、上述の点で好ましいことが判る。この中でも、Ｎｄを含有するもの（供試材２〜１５）は特に好ましい。さらにＮｄに加え、Ｐｒを含有するもの（供試材５〜１５）、特にＮｄ及びＰｒをＮｄ２Ｏ３及びＰｒ２Ｏ３換算で、共に１２ｍｏｌ％以上含有するもの（供試材８〜１５）が好ましいことが判る。
【００４３】
これは、ＺｒＯ２に比べ、Ｎｄ及びＰｒが添加されることにより、フィルタ再生時に活性な酸素の放出量が多くなるためと考えられる。
【００４４】
ここで、表１に示すＺｒ系複合酸化物には、Ｐｔ及びＰｄのいずれも担持されていない。これは、ＳＣＲ／フィルタ５は、ＳＣＲ触媒としてＮＯｘの選択還元にも使用されるため、Ｐｔ及びＰｄを担持することが不適切であることによる。しかし、表１に示すＺｒ系複合酸化物は、Ｐｔ及びＰｄを担持していなくても、良好なＰＭ燃焼性能を示すことが上述のごとく明らかとなった。これは、活性な酸素の活性が高いことから、ＰｔやＰｄのような触媒貴金属が存在しなくても、ＰＭ燃焼が進むと考えられる。
【００４５】
（Ｚｒ系複合酸化物の耐久性）
表１に示す供試材９（ＺｒＯ２−１２ｍｏｌ％Ｎｄ２Ｏ３−１８ｍｏｌ％Ｐｒ２Ｏ３）について、大気中８００℃で２４時間のエージング処理を施し、その前後のＴＧ−ＤＴＡ熱分析結果から、供試材９の熱安定性を評価した。供試材の調整方法及び測定方法は、上述のＤＴＡ熱分析と同じであり、カーボン燃焼に伴う評価試料の重量減少速度を調べた。図３に結果を示す。
【００４６】
図３において、実線はエージング処理前、破線はエージング処理後の測定結果を示している。図３に示すように、エージング処理前後において、測定結果はほとんど変化がないことが判る。これは、フィルタ再生時に高温の排気ガスを流入させ、ＰＭを燃焼させた場合でも、供試材９はほとんど劣化しないことを意味する。従って、例えば供試材９を担持したフィルタは、ＰＭフィルタとして高い耐久性を示すと考えられる。
【００４７】
以上述べたように、本実施形態に係る排気ガス浄化装置は、ＰＭを捕集するフィルタ５に、ＮＯｘを還元剤の存在下で選択的に還元するＳＣＲ触媒と、Ｃｅ以外の希土類金属、特にＮｄ及びＰｒを含むＺｒ系複合酸化物とが担持され、且つ、Ｐｔ及びＰｄのいずれも担持されていないことを特徴とする。
【００４８】
ＳＣＲ／フィルタ５の再生時には、上述のごとくＺｒ系複合酸化物から放出される活性な酸素の活性が高いことから、ＰｔやＰｄのような触媒貴金属が存在しなくても、ＰＭの燃焼が進む。
【００４９】
また、通常運転時には、ＳＣＲ／フィルタ５に還元剤が供給されると、その還元剤の存在下で排気ガス中のＮＯｘがＳＣＲ触媒によって還元浄化される。ＳＣＲ／フィルタ５に担持されている上記Ｚｒ系複合酸化物は、上述の如くＰＭの燃焼に働くものの、それ自体には還元剤を酸化させるような強い酸化触媒機能はない。従って、フィルタに供給される還元剤は、上記Ｚｒ系複合酸化物によって酸化されることなく、ＳＣＲ触媒によるＮＯｘの選択還元に供されることになる。
【００５０】
このように、本実施形態に係る排気ガス浄化装置によれば、ＰＭの燃焼に上記Ｚｒ系複合酸化物を用いるから、ＰＭ燃焼とＳＣＲ触媒によるＮＯｘの選択還元が両立することになる。
【００５１】
そうして、ＰＭ捕集用のフィルタにＳＣＲ触媒を担持させた、すなわち、フィルタとＳＣＲ触媒を一体化させたから、ＳＣＲ触媒専用の担体を別途設ける必要がなくなり、排気ガス浄化装置がシンプルになり、排気ガス通路１へのレイアウトが容易になる。
【００５２】
なお、上記Ｚｒ系複合酸化物は、フィルタ担体１Ｌあたり１０ｇ以上６０ｇ以下含まれていることが好ましい。
【００５３】
また、図２に示すように、Ｚｒ系複合酸化物のうち、Ｎｄは含まないが、Ｐｒに加え、Ｙ又はＹｂを含有するもの（供試材２５，２６）もＤＴＡピークトップ温度が低いことが判る。従って、これらのＺｒ系複合酸化物も好ましくＳＣＲ／フィルタ５に担持させることができる。
【００５４】
［ＮＨ３酸化触媒について］
ＮＨ３酸化触媒６はＮＯｘと反応することなくＳＣＲ触媒を通過する（スリップする）ＮＨ３及びその誘導体をトラップして酸化するものであり、それらＮＨ３等のスリップを防止する。ＮＨ３酸化触媒６としては、ＮＨ３をトラップするゼオライトにＰｔを担持させたＰｔ担持ゼオライトとＯＳＣ（Ｏｘｙｇｅｎ  Ｓｔｏｒａｇｅ  Ｃａｐａｃｉｔｙ）材とをハニカム担体のセル壁に担持させた構成とすることが好ましい。
【００５５】
［注入手段について］
注入手段３は、タンクの尿素水を酸化触媒２とミキサ４の間の排気ガス通路１に供給する噴射弁によって構成することができる。ミキサ４は、尿素水を排気ガス通路１内において排気ガス中に拡散させるものである。
【００５６】
［センサについて］
次に排気ガス通路１に配置されている各種センサについて説明する。ミキサ４とＳＣＲ／フィルタ５の間には、ＳＣＲ／フィルタ５に流入する排気ガス温度を検出する温度センサ１１が配置されている。この温度センサ１１で検出される排気ガス温度に基づいて、フィルタを再生するためのポスト噴射量が制御される。すなわち、フィルタの温度を確実にＰＭ燃焼が促進する温度に上昇させるために、当該排気ガス温度が予め設定した温度になるようにポスト噴射量が制御される。ポスト噴射量は、ＳＣＲ触媒のゼオライトの耐熱性を考慮して、ＳＣＲ／フィルタ５に流入する排気ガス温度が所定温度以上にならないように、例えば、６００℃以上にならないように制御される。
【００５７】
ＳＣＲ／フィルタ５よりも上流側と下流側にはＳＣＲ／フィルタ５の上流側と下流側の排気ガスの差圧Δを検出するための圧力センサ１２，１３が配置されている。上流側の圧力センサ１２はミキサ４とＳＣＲ／フィルタ５の間に配置され、下流側の圧力センサ１３はＳＣＲ／フィルタ５とＮＨ３酸化触媒６の間に配置されている。上記差圧Δに基づいてＳＣＲ／フィルタ５のＰＭ捕集量が算出され、該捕集量が所定値に達したときにポスト噴射が所定噴射時期に実行される。
【００５８】
酸化触媒２と注入手段３の間にはＳＣＲ触媒に流入する排気ガスのＮＯｘ濃度を検出する上流側ＮＯｘセンサ１４が配置されている。ＳＣＲ／フィルタ５とＮＨ３酸化触媒６の間にはＳＣＲ触媒から流出する排気ガスのＮＯｘ濃度を検出する下流側ＮＯｘセンサ１５が配置されている。
【００５９】
上流側ＮＯｘセンサ１４で検出されるＮＯｘ濃度が所定値以上であること、並びに温度センサ１１で検出される排気ガス温度が所定値以上であることが、ＳＣＲ触媒でＮＯｘを浄化するための注入手段３による尿素水の注入条件となる。
【００６０】
尿素水の注入量は、ＳＣＲ触媒のゼオライトに吸着されているＮＨ３量及び下流側ＮＯｘセンサ１５で検出されるＮＯｘ濃度に基づいて、適切な量になるように制御される。ゼオライトに吸着されているＮＨ３量は、上流側と下流側のＮＯｘセンサ１４，１５で検出されるＮＯｘ濃度及び尿素注入量の履歴に基づいて推定される。
【００６１】
＜排気ガスの浄化方法＞
本実施形態に係る排気ガス浄化装置を用いた場合の排気ガスの浄化方法について詳述する。
【００６２】
［ＳＣＲ／フィルタ５におけるＰＭ燃焼］
排気ガスの空燃比がリーンであるとき、排気ガス中のＰＭはＳＣＲ／フィルタ５に捕集される。そして、ＳＣＲ／フィルタ５の上流側と下流側の排気ガスの差圧Δに基づいてフィルタのＰＭ捕集量が所定値に達したことが検出されたときに、ＳＣＲ／フィルタ５に流入する排気ガス温度に基づいて、エンジン燃焼室に膨張行程又は排気行程で燃料を噴射供給するポスト噴射が実行される。これにより、ＳＣＲ／フィルタ５に捕集されているＰＭが燃焼して除去され、該フィルタのＰＭ捕集能が回復する（フィルタの再生）。以下、具体的に説明する。
【００６３】
ポスト噴射により、エンジン１から排出される排気ガス中のＨＣ及びＣＯが多くなる。そのＨＣ及びＣＯは、酸化触媒２において、排気ガス中の酸素と反応する。これにより、ＣＯ２及びＨ２Ｏが生成して排出される。このときに発生する酸化反応熱によってＳＣＲ／フィルタ５に流入する排気ガス温度が上昇する。
【００６４】
昇温させた排気ガスがＳＣＲ／フィルタ５に流入すると、ＳＣＲ／フィルタ５に担持させたＺｒ系複合酸化物から活性な酸素が放出し、この活性な酸素が酸化剤となってＳＣＲ／フィルタ５に堆積しているＰＭの燃焼が進む。ＰＭは活性な酸素との反応によってＣＯ２となって排出され、ＳＣＲ／フィルタ５のＰＭ捕集能が再生する。
【００６５】
［ＳＣＲ／フィルタ５のＳＣＲ触媒によるＮＯｘ選択還元］
ＳＣＲ／フィルタ５の再生時以外の運転中、すなわちフィルタのＰＭ捕集量が所定値に達していないとき、ＳＣＲ／フィルタ５に流入する排気ガスのＮＯｘ濃度が所定値以上であること、並びにＳＣＲ／フィルタ５に流入する排気ガス温度が所定値（例えば２００℃）以上であることを条件として、必要に応じて、ＳＣＲ触媒によるＮＯｘの選択還元が実行される。
【００６６】
すなわち、まず注入手段３によって還元剤前駆体としての尿素水が排気ガス通路１に注入される。
【００６７】
その後、その尿素の熱分解及び加水分解によってＮＨ３（還元剤）が生成するとともに、ＳＣＲ／フィルタ５に流入し、ＳＣＲ触媒のゼオライトに吸着される。ＳＣＲ／フィルタ５に流入するＮＯｘ（ＮＯ，ＮＯ２）は、ゼオライトに吸着されたＮＨ３によってＮ２に還元浄化され、そのときに生成するＨ２Ｏと共に排出される。
【００６８】
このように、本実施形態に係る排気ガス浄化方法によれば、ＰＭの酸化燃焼とＮＯｘの還元浄化を両立させながら、排気ガス浄化装置のシンプル化を図ることができ、さらに、ＰＭの燃焼促進にも有利になる。
【００６９】
［ＮＨ３酸化触媒６によるＮＨ３等の酸化］
ＮＯｘと反応することなくＳＣＲ触媒を通過するＮＨ３及びその誘導体はＮＨ３酸化触媒６のゼオライトにトラップされる。よって、ＮＨ３及びその誘導体が大気中に排出することが防止される。ゼオライトにトラップされたＮＨ３及びその誘導体は、ゼオライトの温度が高くなったときに脱離してＰｔ触媒によって酸化されて排出される。本実施形態では、フィルタ再生時の熱によってＮＨ３酸化触媒６のゼオライトの温度が高くなり、ＮＨ３がゼオライトから脱離する。
【００７０】
＜フィルタにおけるＰＭ燃焼触媒とＳＣＲ触媒の担持形態＞
ＰＭ燃焼触媒とＳＣＲ触媒は、フィルタ本体に対して次のＡ、Ｂ及びＣから選ばれる少なくとも一つの形態で担持することができる。
Ａ  図４（ａ）及び（ｂ）に示すように、ＰＭ燃焼触媒２１とＳＣＲ触媒２２がフィルタ本体２３の排気ガス通路（排気ガス流入通路、排気ガス流出通路及び通路隔壁に形成された細孔）を形成する壁面に、一方が排気ガス流れ方向の上流側に、他方が下流側に配置されるように担持されている。
Ｂ  図４（ｃ）及び（ｄ）に示すように、ＰＭ燃焼触媒２１とＳＣＲ触媒２２がフィルタ本体２３の上記壁面に、一方が他方よりも排気ガスが通る空間側に配置されるように層状に担持されている。
Ｃ  ＰＭ燃焼触媒とＳＣＲ触媒が混合してフィルタ本体の上記壁面に担持されている。
【００７１】
［担持形態Ａ］
図４（ａ）に示す担持形態では、ＰＭ燃焼触媒２１が上流側に、ＳＣＲ触媒２２が下流側に配置されている。同図（ｂ）に示す担持形態では、ＳＣＲ触媒２２が上流側に、ＰＭ燃焼触媒２１が下流側に配置されている。
【００７２】
好ましいのはＳＣＲ触媒２２を上流側に配置した図４（ｂ）に示す担持形態である。この担持形態であれば、ＳＣＲ触媒２２を担持した上流側では、ＰＭ２４との反応によるＮＯ２の消費がないため、ＳＣＲ触媒上でのＮＨ３によるＮＯｘ浄化反応が最も効率的に進むＮＯ：ＮＯ２＝１：１の排気ガス条件に近づきやすく、高いＮＯｘ浄化率が期待できる。また、上流側の方が温度が高いため、ＰＭ燃焼性能が比較的低いＳＣＲ触媒２２上においてもＰＭが燃焼することが期待される。
【００７３】
［担持形態Ｂ］
図４（ｃ）に示す担持形態では、ＰＭ燃焼触媒２１が上側、すなわち、排気ガスが通る空間側に、ＳＣＲ触媒２２が下側に配置されている。同図（ｄ）に示す担持形態では、ＳＣＲ触媒２２が上側に、ＰＭ燃焼触媒２１が下側に配置されている。
【００７４】
好ましいのはＰＭ燃焼触媒２１を上側に配置した図４（ｃ）に示す担持形態である。この担持形態であれば、ＰＭ燃焼触媒２１とＰＭ２４の接触が良好になり、ＰＭの燃焼が進み易い。また、ＰＭ燃焼触媒２１上のＰＭ２４が燃焼除去され易いため、排気ガス中のＮＯｘが下側のＳＣＲ触媒２２に拡散し易い。従って、ＮＯｘの選択還元に有利になる。
【００７５】
＜ＳＣＲ触媒・ＮＨ３酸化触媒・フィルタ一体型＞
上記実施形態は、ＳＣＲ／フィルタ５とは別個独立のＮＨ３酸化触媒６を備えているが、図５に示すように、ＳＣＲ／フィルタ５の排気ガス流れ方向の下流部にＮＨ３酸化触媒２５を担持してもよい。これにより、ＮＨ３酸化触媒専用の担体を別途設ける必要がなくなり、そのため、排気ガス浄化装置がシンプルになり、排気ガス通路へのレイアウトが容易になる。
【００７６】
なお、図４（ｂ）の担持形態において、その下流部をＰＭ燃焼触媒とＮＨ３酸化触媒の２層構造とし、ＰＭ燃焼触媒をＮＨ３酸化触媒の上側（排気ガスが通る空間側）に配置するようにしてもよい。或いは、図４（ｂ）の担持形態において、その下流部をＰＭ燃焼触媒とＮＨ３酸化触媒の混合層としてもよい。
【符号の説明】
【００７７】
１    エンジンの排気ガス通路
２    酸化触媒
３    注入手段
４    ミキサ
５    ＳＣＲ／フィルタ
６    ＮＨ３酸化触媒
２１    ＰＭ燃焼触媒
２２    ＳＣＲ触媒
２３    フィルタ本体
【図１】
2016077975.tif 000004
【図２】
2016077975.tif 000005
【図３】
2016077975.tif 000006
【図４】
2016077975.tif 000007
【図５】
2016077975.tif 000008